(57)【要約】電気自動車（ＥＶ）のユーザに、動的でインタラクティブな支援を含む遠隔サービスを提供するために（図４）、中央サーバ（１２）は、ＥＶ（１５）及び他のクライアントデバイス（１１）と電子通信を行うように設定される。サーバ（１２）は、少なくとも１つのＥＶ充電スタンドネットワークとも通信し、順次、個別の充電スタンド（３０）とも通信する。遠隔サービスは、走行計画を立てること（図１６−１９）、充電スタンドを見つけること（図２２−２６）、充電スタンドの使用可能性及び適合性を確認すること（図２６）、及び充電スタンドを予約すること（図４７）を含んでもよい。サーバ（１２）は、ＥＶから履歴運転データを収集し、そのデータを分析して様々な統計値を決定する。履歴データに基づいて、システムは、ＥＶのバッテリを再充電する前に推奨されるトリップを完了するように、ユーザにＥＶの準備に関する助言を行う（図３、図５４）。アプリケーションソフトウェアプログラムは、クライアントデバイスで実行可能であり、遠隔サービスにアクセスし、中央サーバと通信するユーザインタフェースを提供する。【選択図】図３
2015505369.tif 000002
【特許請求の範囲】
【請求項１】
コンピュータ実装方法であって、
電気自動車（ＥＶ）の履歴運転データであって、前記ＥＶの複数の運転トリップを反映した前記運転データをメモリに記憶するステップと、
前記ＥＶの各トリップに対して、前記履歴運転データに、少なくとも、走行距離、対応する自動車充電量の変化及び日付又は曜日を示すデータを含めるステップと、
プロセッサにおいて、前記履歴運転データを分析し、週の少なくとも一日における、対応する自動車充電量の平均的な変化を決定するステップと、
前記自動車の現在の充電量を決定するステップと、
前記自動車の前記現在の充電量を、自動車充電量におけるその曜日の対応する前記平均的な変化と比較し、準備状況を決定するステップと、
電子表示画面に前記準備状況の指標を表示するステップと
を含む方法。
【請求項２】
前記ＥＶの前記履歴運転データに交通データを含めるステップと、
前記ＥＶの前記履歴運転データに基づいて、適切な経路を特定するステップと、
前記適切な経路に沿った、現在又は統計的に予想される交通条件を決定するステップと、
前記現在又は統計的に予想される交通条件を、自動車充電量におけるその曜日の対応する前記平均的な変化を決定するために使用された、前記履歴運転データに含まれる前記交通データと比較するステップと、
前記交通条件の比較に応答して、準備状況の指標を調整するステップと
をさらに含む、請求項１に記載のコンピュータ実装方法。
【請求項３】
前記ＥＶの前記履歴運転データに温度のデータを含めるステップと、
現在の局所温度を決定するステップと、
前記現在の局所温度を、自動車充電量におけるその曜日の対応する前記平均的な変化を決定するために使用された、前記履歴運転データに反映された平均温度と比較するステップと、
前記温度の比較に応答して、準備状況の指標を調整するステップと
をさらに含む、請求項１に記載のコンピュータ実装方法。
【請求項４】
前記ＥＶの前記履歴運転データを分析して、前記ＥＶにおけるバッテリの充電−放電プロファイルを決定するステップをさらに含む、請求項１に記載のコンピュータ実装方法。
【請求項５】
サーバコンピュータを提供するステップと、
前記サーバコンピュータを前記ＥＶと通信するように設定し、前記ＥＶから前記履歴運転データを取得し、前記ＥＶの前記現在の充電量を決定するステップと、
前記サーバコンピュータ内で前記準備状況を決定するステップと、
前記中央サーバコンピュータを、さらにクライアントデバイスと通信するように設定するステップと、
前記準備状況を前記サーバコンピュータから前記クライアントデバイスに送信して、前記クライアントデバイスの電子表示画面上に、前記準備状況の指標表示を行うステップと
をさらに含む、請求項１に記載のコンピュータ実装方法。
【請求項６】
サーバコンピュータを提供するステップと、
クライアントデバイスで実行可能なアプリケーションプログラムを提供して、前記ＥＶから前記履歴運転データを取得するステップと、
前記取得した履歴運転データを、前記クライアントデバイスから前記サーバコンピュータに送信し、前記ＥＶの履歴運転データのデータベースに記憶するステップと
をさらに含む、請求項１に記載のコンピュータ実装方法。
【請求項７】
前記クライアントデバイスは、スマートフォン又はタブレット型コンピュータデバイスをさらに含む、請求項５に記載のコンピュータ実装方法。
【請求項８】
前記クライアントデバイスは、前記ＥＶのヘッドユニットを有する、請求項１に記載のコンピュータ実装方法。
【請求項９】
前記履歴運転データを分析し、週の少なくとも一日における、対応する自動車充電量の平均的な変化を決定するステップは、前記サーバコンピュータで実行され、前記分析の結果は前記サーバコンピュータから前記クライアントデバイスに送信される、請求項５に記載のコンピュータ実装方法。
【請求項１０】
取得された前記ＥＶの前記履歴運転データに、自動車の速度に対する時間データと、ドライバの特定とを含めるステップと、
前記サーバにおいて、前記履歴運転データを分析して、前記ＥＶの前記特定されたドライバに係るアクセル及びブレーキのプロファイルを決定するステップと
をさらに含む、請求項５に記載のコンピュータ実装方法。
【請求項１１】
コンピュータ実装方法であって、
サーバコンピュータを提供するステップと、
前記サーバコンピュータを前記ＥＶと通信するように設定し、前記ＥＶから履歴運転データを取得し、前記ＥＶの現在の充電量を決定するステップと、
前記取得された履歴運転データを分析し、前記分析の結果を、前記自動車の前記現在の充電量と比較して、走行範囲を推定するステップと、
前記ＥＶを使用して推奨されるトリップであって、少なくとも目的地及び随意一連の１以上の経由地点を含むトリップを特定するユーザ入力を、取得及び記憶するステップと、
前記推奨されるトリップを実行するために、推奨経路を決定するステップと、
前記推定された範囲を前記推奨経路と比較して、準備状況を決定するステップと、
前記推定された範囲が前記推奨経路を移動するために十分でない場合、おおよそ前記推奨経路に沿って位置する充電スタンドを特定するステップと、
前記特定された充電スタンドに再充電のために停止することを含めるように、前記推奨経路の修正を推奨するステップと
を含む方法。
【請求項１２】
クライアントデバイスで実行可能なアプリケーションプログラムであって、前記サーバコンピュータとのインタラクション用のユーザインタフェースを実行するアプリケーションプログラムを提供するステップを含み、
前記推奨されるトリップを特定するユーザ入力は、前記ユーザインタフェースを使用して入力され、前記推奨経路の前記推奨された修正は、前記ユーザインタフェースを介してユーザに提示される、請求項１１に記載のコンピュータ実装方法。
【請求項１３】
前記おおよそ前記推奨経路に沿って位置する充電スタンドを特定するステップは、前記サーバコンピュータにおいて、少なくとも１つの充電スタンドネットワークと通信するステップと、充電スタンドの情報を前記アプリケーションプログラムに中継して、前記ユーザインタフェースで前記ユーザに提示するステップとを含む、請求項１２に記載のコンピュータ実装方法。
【請求項１４】
前記特定された充電スタンドにおけるその日の到着時刻（ＥＴＡ）を推定するステップと、
前記サーバコンピュータを介して、前記ＥＴＡを起点として、前記ＥＶを再充電するために前記特定された充電スタンドを利用する予約リクエストを送信するステップと、
前記ＥＴＡを起点として、前記特定された充電スタンドで再充電のために停止することを含めるように、前記推奨経路を自動的にアップデートするステップと
をさらに含む、請求項１２に記載のコンピュータ実装方法。
【請求項１５】
プロセッサ上で実行された場合に、
電気自動車（ＥＶ）の履歴運転データであって、前記ＥＶの複数の運転トリップを反映した前記運転データをメモリに記憶するステップと、
前記ＥＶの各トリップに対して、前記履歴運転データに、少なくとも、走行距離、対応する自動車充電量の変化及び日付又は曜日を示すデータを含めるステップと、
プロセッサにおいて、前記履歴運転データを分析し、週の少なくとも一日における、対応する自動車充電量の平均的な変化を決定するステップと、
前記自動車の現在の充電量を決定するステップと、
前記自動車の前記現在の充電量を、自動車充電量におけるその曜日の対応する前記平均的な変化と比較し、準備状況を決定するステップと、
電子表示画面に前記準備状況の指標を表示するステップと
を実行する、実行可能なプログラム命令を記憶するコンピュータ可読記憶媒体。
【請求項１６】
前記記憶されたアプリケーションプログラム命令は、
前記ＥＶの前記履歴運転データに交通データを含めるステップと、
前記ＥＶの前記履歴運転データに基づいて、適切な経路を特定するステップと、
前記適切な経路に沿った、現在又は統計的に予想される交通条件を決定するステップと、
前記現在又は統計的に予想される交通条件を、自動車充電量におけるその曜日の対応する前記平均的な変化を決定するために使用された、前記履歴運転データに含まれる前記交通データと比較するステップと、
前記交通条件の比較に応答して、準備状況の指標を調整するステップと
をさらに実行するように設定された、請求項１５に記載のコンピュータ可読記憶媒体。
【請求項１７】
前記ＥＶの前記履歴運転データに温度のデータを含めるステップと、
現在の局所温度を決定するステップと、
前記現在の局所温度を、自動車充電量におけるその曜日の対応する前記平均的な変化を決定するために使用された、前記履歴運転データに反映された平均温度と比較するステップと、
前記温度の比較に応答して、準備状況の指標を調整するステップと
をさらに実行するように設定された、請求項１５に記載のコンピュータ可読記憶媒体。
【発明の詳細な説明】
【技術分野】
【０００１】
本発明は、ネットワーク化された、電気自動車（ＥＶ）のユーザ支援サービスのための方法及び装置に関する。
【背景技術】
【０００２】
従来の技術的スキームは、ドライバが自動車を「満タン」にする適切なタイミングの決定の支援に利用可能である。従来の技術的スキームは、一般に、自動車のダッシュボードに設置された燃料ゲージを含む。燃料ゲージは、満タンのマーク、空のマーク、その中間の他のマーク及びこれらのマークに関連する現在の燃料の量を示す針を有する。また、燃料ゲージは、現在の燃料の量が、最大の燃料に対して予め定められた所定の割合になったときに作動させる燃料警告灯を備えてもよい。ドライバは、燃料ゲージを使用して、「満タン」にする適切なタイミングを決定できる。
【０００３】
ドライバによる、自動車を「満タン」にする又は燃料補給する適切なタイミングの決定を支援するこれらの従来の技術的スキームは、部分的に又は全体的に、ガソリン車には一般に十分であるが、電気自動車の使い方は、ガソリン車の使い方とは異なる。特に、電気自動車は、ガソリン動力の自動車よりも、概して、一般に範囲（「満タン」状態である間の距離）が短い。電気自動車は、一般に充電に数時間を要し、これは、ガソリン車の燃料補給に必要な数分をよりも長い。また、充電スタンドは、現在（ガソリンスタンドと比較して）至る所に存在するものでもない。上述の観点から、自動車のバッテリを充電する適切なタイミング及び場所を決定するにあたり、電気自動車のドライバを支援する技術的な解決策が必要である。
【発明の概要】
【０００４】
次に、本発明のいくつかの態様の基本的な理解を提供するために、発明の概要を説明する。ここでの概要は、本発明の重要な／必須の要素を特定すること、又は本発明の範囲を線引きすることを意図するものではない。唯一の目的は、導入として、本発明のいくつかの概念を簡略化した形態で示すことであり、より詳細な説明については、後述する。
【０００５】
一態様において、この開示は、電気自動車がその日の残りの予定を実行するために充分な充電量を有しているかと、ＥＶのユーザが疑うことにより生じる不安を低減する機能を開示する。他の態様において、ソフトウェアは、これらに限定されるものではないが、自動車に対する過去の使用データの履歴、運転スタイル、計画された経路、現在の交通条件、及び、自動車のバッテリの現在の充電又はエネルギー量等を含む、様々な情報を考慮して、計画された経路を分析し、自動車が推奨されたトリップを完了するために充分な範囲を有しているかを決定する。
【０００６】
他の一態様において、システムは、自動車を再充電するための充電スタンドが近隣又は推奨経路に沿って位置するかに関する情報をユーザに提供する。経路計画及び充電スタンドデータと組み合わされた、上述の範囲分析は、経路に沿った充電スタンドを特定し、自動車に対する充電スタンドの適合性を確認し、充電スタンドの使用可能性を確認し、選択された充電スタンドに充電の予約をすることに使用される。
【０００７】
望ましい一実施形態において、車内の「クライアント」デバイスと中央サーバコンピュータとの間での通信を介して、いくつかのユーザサービス及び機能が提供されるが、その詳細については後述する。望ましくは、中央サーバは、少なくとも１つの充電スタンドネットワークと通信を行うように設定される。
【０００８】
本発明のさらなる態様及び利点については、添付図面を参照して説明される、後述の望ましい実施形態の詳細な説明から明らかであろう。
【図面の簡単な説明】
【０００９】
【図１】電気自動車（ＥＶ）のドライバにドライバサービスを提供するシステムを示す略図である。
【図２】本開示によるクライアントアプリケーションへのログインの画面表示の例の図である。
【図３】電気自動車の準備状況を示すクライアントアプリケーションの画面表示の例の図である。
【図４】様々な使用可能なユーザサービス及び機能に対応するアイコンを示すクライアントアプリケーションの画面表示の例の図である。
【図５】遠隔制御機能の例を示すクライアントアプリケーションの画面表示の例の図である。
【図６】運転時間の仕様に関するクライアントアプリケーションの画面表示の例の図である。
【図７】曜日ごとの運転時間のリストの例を示す図である。
【図８】運転時間を追加又は「プログラミング」するクライアントアプリケーションの画面表示の例の図である。
【図９】スクロールによって表示される図８の画面表示の続きの図である。
【図１０】電気自動車に充電する電気料金の変動を活用するためのエコ充電プロファイルに関するクライアントアプリケーションの画面表示の例の図である。
【図１１】位置ごとのエコ充電プロファイルのリストを示すクライアントアプリケーションの画面表示の例の図である。
【図１２】充電位置を選択して充電プロファイルを定義するためのクライアントアプリケーションの画面表示の例の図である。
【図１３】ユーザの現在位置及び電気自動車の現在位置を示す地図を含むクライアントアプリケーションの画面表示の例を示す図である。
【図１４】ユーザの現在位置から電気自動車の現在位置まで歩くのに推奨される経路を地図上に示すクライアントアプリケーションの画面表示の例の図である。
【図１５】図１４の推奨経路をリストビューで示すクライアントアプリケーションの画面表示の例の図である。
【図１６】移動プランナ機能のクライアントアプリケーションの画面表示の例の図である。
【図１７】トリップ計画のために経由地点を追加又は充電スタンドを追加するためのクライアントアプリケーションの画面表示の例を示す図である。
【図１８】トリップ計画の一部として、ある場所又は住所を入力するためのクライアントアプリケーションの画面表示の例の図である。
【図１９】図１８で入力されたデータに基づいて発見された位置のリストを示す図である。
【図２０】ユーザがスクリーンの対応する位置の表示部をタッチすることにより所望の位置又は経由地点を選択することを可能にする、図１９の画面表示に示された位置を示す地図表示の例の図である。
【図２１】選択された経由地点と共にＥＶの現在位置及び状態を示すクライアントアプリケーションの画面表示の例の図である。
【図２２】ＥＶの現在位置の近くの充電スタンドの検索を実行するクライアントアプリケーションの画面表示の例の図である。
【図２３】例えばスクロールによって表示される図２２の画面表示の続きの図である。
【図２４】要求された位置又は現在位置の近くに発見された充電スタンドのリストを示すクライアントアプリケーションの画面表示の例の図である。
【図２５】図２４の表示に示される充電スタンドの位置を示す地図表示の図である。
【図２６】選択された充電スタンドの詳細（現在の状態を含む）を示すクライアントアプリケーションの画面表示の例の図である。
【図２７】電気自動車の現在位置及び状態並びにトリップのために選択された経由地点を示すクライアントアプリケーションの画面表示の例の図である。
【図２８】アンカーポイント又は経由地点として使用される自宅の住所をユーザが入力するように構成されたクライアントアプリケーションの画面表示の例の図である。
【図２９】車の現在位置及び状態、並びにトリップに対する一連の経由地点を示すクライアントアプリケーションの画面表示の例の図である。
【図３０】推奨されるトリップを計画することに関するクライアントアプリケーションの画面表示の例の図である。
【図３１】推奨経路の詳細を示す図３０からの続きの図である。
【図３２】推奨経路を示す地図の画面表示の例の図である。
【図３３】定義された位置の近くの充電スタンドを検索するクライアントアプリケーションの画面表示の例の図である。
【図３４】図３３の表示の続きであり、充電スタンド検索の更なる詳細を示す図である。
【図３５】図３３及び３４に規定された検索に従って発見された充電スタンドのリストを示す画面表示の例の図である。
【図３６】図３５の画面表示に示された充電スタンドの位置を示す地図表示の例の図である。
【図３７】充電スタンドでの充電時間を予約するオプションで選択された充電スタンドの詳細を示す画面表示の例の図である。
【図３８】現在の及び統計的に予想される交通条件に基づく移動時間情報と共に、次の通勤及び記憶済みの一連の通勤状況を示すクライアントアプリケーションの画面表示の例の図である。
【図３９】電気自動車の診断書を示すクライアントアプリケーションの画面表示の例の図である。
【図４０】トリップの履歴に基づくユーザの運転スタイルに関する情報を表示し、金銭的節約及びエネルギー消費を反映した情報を表示するクライアントアプリケーションの画面表示の例の図である。
【図４１】電気自動車の所定のグループ又は全車両の集約情報を示す画面表示の例の図である。
【図４２】ユーザアカウント及び他の操作を管理するクライアントアプリケーションの画面表示の例の図である。
【図４３】ユーザプロファイルを維持する図４２の続きである。
【図４４】ユーザのプロファイルを維持する図４３の続きである。
【図４５】追加オプションを示すユーザプロファイルに関する画面表示の例の図である。
【図４６】モバイルアプリケーションアカウントのユーザパスワードを更新する画面表示の例の図である。
【図４７】選択された充電スタンドに予約をするクライアントアプリケーションの画面表示の例の図である。
【図４８】充電スタンドの予約の更なる詳細を設定する、先の画面表示の続きの図である。
【図４９】充電スタンドの予約を確認する画面表示の例の図である。
【図５０】ＥＶ充電スタンドの予約のキャンセルに関する画面表示の例の図である。
【図５１】移動時間及び代替経路に関する情報を含む、記憶済みの通勤に関するクライアントアプリケーションの画面表示の例の図である。
【図５２】推奨経路を示す地図表示の例の図である。
【図５３】交通条件の表示を示す図５２の地図の画面表示の例の図である。
【図５４】電気自動車サービス用サーバへのウェブページインタフェースの例の図である。
【発明を実施するための形態】
【００１０】
図１は、電気自動車のドライバを支援するシステムを示す。例えば、このシステムは、自動車のバッテリを充電する適切な時間及び場所を決定するために使用されうる。システム１００は、サーバ１２を有し、サーバ１２はどこにあろうとも１以上のサーバ及び他のリソースを含んでいてもよい。システム１００は、インターネット及び／又は電気通信ネットワーク等の１以上のネットワークで通信する適切な手段を有する。システム１００は、適切なゲートウェイを介して無線電気通信ネットワークと通信を行う。いくつかの実施形態において、無線電気通信ネットワークは、クライアントデバイス１１とのサーバ通信に使用されうる。場合によっては、無線電気通信ネットワークにおける音声チャネル呼出しの間のデータ通信に、帯域内信号方式が使用されうる。いくつかの実施形態において、クライアントデバイス１１とのサーバ通信に、広帯域又はＷｉＦｉ（登録商標）ネットワークが使用されうる。上述のいずれか又は全ては、有線ネットワーク、ＰＯＴＳ、ケーブル、又は未だ知られていない他の手段と共に、１以上のＥＶの充電スタンドに関連する他のサーバ３０とのサーバ通信に使用されうる。
【００１１】
クライアントデバイス１１は、いくつかの実施形態において、個人携帯デバイス（携帯電話、ＰＤＡ、ノート型パソコン、タブレット型コンピュータ）、自動車の「ヘッドユニット」、デスクトップ型コンピュータ等を含む。サーバ１２は、一般に、コンピュータデバイスにより実行されるとサーバ１２の動作として本明細書に記載される動作を実行する命令を記憶するメモリデバイスを有する。
【００１２】
サーバ１２は、電気自動車又は電気自動車に接続されたコンピュータデバイスから、運転パターンを学習するためのデータを収集する。サーバ１２は、収集したデータに基づいて運転履歴を生成する。サーバ１２は、運転履歴をデータベースに記憶してもよい。データベースは、例えば、複数のエントリ又はレコードとして編成され、各エントリ又はレコードは、対象の自動車の特定の運転トリップを示す。データは、全車両で集約される。トリップレコードは、例えば、電気自動車が移動した距離、トリップの間に電気自動車により消費されたエネルギーの量、トリップが開始及び／又は終了した日付及び時間を示すタイムスタンプを含んでもよい。トリップレコードにおける付加情報は、経路、出発及び停止位置、中間地点、交通データ及び／又はトポロジカルデータを含んでもよい。付加情報は、気象条件又は温度、交通条件及び他の変動する要素を含んでもよい。詳細なレコードは、定期的な速度の示度数を含んでもよい。
【００１３】
サーバ１２は、データベースのエントリを分析する。一例において、サーバ１２は、データベースのエントリに基づくパターン、例えば、水曜日には大体１８キロワットが消費され、木曜日には大体１５キロワットが消費されることが観察されるというように、数週間にわたる所定の曜日と他の曜日との間の差異を同定してもよい。
【００１４】
一例において、パターンが特定されると、分析は、特定されたパターンに基づく期待された使い方を歪めることになる今後のトリップを決定するためにカレンダーアプリケーションとインタフェースを取るサーバ１２を含んでもよい。サーバ１２は、住所情報のリストをチェックすることができる。しかし、そのリストに人が含まれているが住所情報が含まれていない場合、サーバ１２は、連絡手段又は他のデータベースを用いてリストにある人物の住所情報を取得してもよい。
【００１５】
一例において、サーバ１２は、分析に基づいて、所定の期間における予想エネルギー使用量を決定してもよい。この決定は、温度、気象条件、（普段は利用しない丘陵経路や、高速道路の使用といったような）履歴の走行と異なる場合に予想される走行の特性、交通量、タイヤの圧力、自動車の荷重（乗客人数）、又は他の変数といったようなパラメータを考慮できる。一例において、この決定は、現在の又は予想される所定期間の温度と、過去の対応する期間に基づく平均温度との比較を含んでもよい。非常に寒い日には、エネルギー使用量が特定されたパターンから予想されるよりも高くなりえ、これは、例えば、ドライバが自動車のヒータを通常よりも多く利用することが予想されうるからである。反対に、暑いときに空調が同様の影響を有する。ＨＶＡＣは一般に、バッテリからのエネルギーを必要とする。また、天気予報又は現在の条件もエネルギー使用量の決定のために使用される。例えば、現在地表面に雪が存在したり、又は、電気自動車のタイヤの摩擦係数に影響を及ぼす他の気象条件が存在する場合には、予想されるエネルギー使用量は、特定されたパターンに基づく予想と異なる。
【００１６】
サーバ１２は、決定に基づいて、電気自動車のドライバへの提案を生成する。生成された提案は、クライアントデバイス１１を使用して表示される（一例において、生成された提案は、電気自動車の自動車ヘッドユニットのビジュアル及び／又はオーディオディスプレイに表示される）。
【００１７】
生成された提案は、電気自動車のバッテリに現在充電されているエネルギー量が、決定に基づいて、特定の期間、例えばその日の残りの時間における予想エネルギー使用量を上回っているか否かを示してもよい。一例において、生成された提案は、電気自動車のバッテリに現在充電されているエネルギー量がその日の残りの時間における予想エネルギー使用量を上回っている場合、ドライバが「Ｒｅａｄｙ  ｔｏ  Ｇｏ」（「Ｒｅａｄｙ  ｔｏ  Ｇｏ」は、エアビクティ  インコーポレイテッドの登録商標）であることを特定する。一実施形態において、決定は、ある一日全体について行われるのではなく、例えば、朝の出勤又はオフィスからの帰宅について行われてもよい。直前の段落に記載された例に対する画面が、図３に示されている。０から５０％以下の部分に広がる陰付き箇所は、その日のエネルギー使用量の決定を示す。ダイヤルは、バッテリにおける使用可能なエネルギーを示す。
【００１８】
図２は、本開示による、クライアントアプリケーションにログインする画面表示の例である。この例では、スマートフォン型の携帯デバイス用のログイン画面が示されている。適切なアプリケーション、すなわち「アプリ」は、前述のように様々な異なるクライアントデバイスに提供され、同様のアプリケーションが、自動車のヘッドユニット上に配備されてもよい。図３−５３には、スマートフォン又はｉＰｈｏｎｅ（登録商標）の表示画面が、例として使用されているが、この例に限られるものではない。フロントガラスの「ヘッドアップ」ディスプレイを含む任意の表示部が使用されうる。
【００１９】
再び図１を参照するに、サーバ１２は、個人携帯デバイスで動作させるために、個人携帯デバイスにダウンロードされるアプリケーション２０を記憶する。一例において、アプリケーション２０は、例えば携帯電話等の個人携帯デバイスにダウンロードされる。アプリケーションを動作させる個人携帯デバイスは、自動車の構成要素を遠隔で制御できる。
【００２０】
一例において、ダウンロードされたアプリケーションは、図３に示される画面を個人携帯デバイスに表示させる。「Ｃｈａｒｇｅ  Ｎｏｗボタン」は、（電気自動車が商用電源にプラグを差し込まれている限り）電気自動車に充電を開始させる信号を個人携帯デバイスから送信させる。自動車の他の構成要素は、後述する遠隔制御機能を使用して制御される。
【００２１】
図４は、様々な使用可能なユーザサービス及び機能に対応するアイコンを示すクライアントアプリケーションの画面表示の例である。他の機能が追加又は削除されてもよい。例えば、将来開発される新たなアプリケーションがサーバからダウンロードされ、クライアントデバイスにインストールされてもよい。
【００２２】
図５は、遠隔制御機能の例を示すクライアントアプリケーションの画面表示の例である。遠隔制御機能は、自動車のドアロック、クラクション、ライト及びモータの起動又は停止に関する操作を含んでいてもよい。遠隔制御は、現在の車内の温度を表示し、暖房又は冷房の操作の遠隔制御を可能にし、ユーザが乗車する前に車内の温度を調整してもよい。
【００２３】
図６は、運転時間と称される機能を使用するクライアントアプリケーションの画面表示の例である。この機能により、ユーザは、いつもの又は繰り返される「運転時間」又はトリップを特定できる。例えば、自宅と職場との間の通勤は、運転時間を規定できる。時間、曜日及び位置が、「プログラム」され、記憶されうる。例えば、車が全日稼働中の充電器に差し込まれている場合、例えば１時間だけの充電しか必要としない場合に、充電コスト（価格）の変動を活用することを試みてもよい。図７は、曜日ごとの運転時間のリストの例を示す。図７は、出発時間における好ましい車内の温度も表示する。遠隔制御機能は、この情報を使用して、出発予定又は「運転時間」の前に、必要に応じて、車内の暖房を予め起動させることができる。画面の下部のボタンにより、新たな運転時間を追加できる。このボタンは、図８に示すような画面表示を起動するために使用される。
【００２４】
図８は、新たな運転時間を追加するためのクライアントアプリケーションの画面表示の例である。その日の時間が特定され、曜日が選択される。座席を予め暖めることと同様に、随意車内の事前調整を選択できる。図９は、図８の画面表示の続きであり、スクロールにより表示される。画面表示には、対象の運転時間の曜日を選択するチェックボックスが表示される。図３８に関しては、後述する通勤の説明を参照されたい。
【００２５】
図１０は、「エコ充電プロファイル」、すなわち電気自動車に充電する電気料金の変動を活用するように設計された機能に関する、クライアントアプリケーションの画面表示の例である。各プロファイルは、充電が可能な特定の位置に関連付けられている。図１１は、位置ごとのエコ充電プロファイルのリストを示すクライアントアプリケーションの画面表示の例である。下部のボタンにより、新たな位置を追加できる。図１２は、充電位置を選択して充電プロファイルを定義し、選択した位置に名前を割り当てるためのクライアントアプリケーションの画面表示の例である。
【００２６】
図１３は、ユーザの現在位置及び電気自動車の現在位置を示す地図を含むクライアントアプリケーションの画面表示の例を示す。画面表示の下部のボタンは、自動車まで徒歩で向かう方向を要求するために使用される。図１４は、ユーザの現在位置から電気自動車の現在位置まで歩くのに推奨される経路を示す地図表示である。自動車の現在位置は、様々な方法で取得され、例えば、（サーバ又は携帯クライアント機器から）自動車に問い合わせを行うか、又は最後のトリップ履歴データベースの記録又は一時データバッファから停止位置にアクセスすることにより取得される。さらに、停止位置は、（ＧＰＳ付きの）携帯デバイスを介したユーザの手入力により、又は自動車の鍵が外れているときには自動的に記録することもできる。表示の上部のボタンにより、推奨経路のリストビューに切り替えることができる。図１５は、図１４の推奨徒歩経路をリストビューで示す。
【００２７】
〔ＥＶ用の移動の経路作成〕
図１６は、移動プランナ機能のクライアントアプリケーションの画面表示の例である。移動プランナは、現在位置に基づき、自動車の充電量を考慮して、経路を算出するのに使用できる。必要に応じて、経路は、途中で充電スタンドに立ち寄るたねに変更できる。図１７は、トリップを計画するために経由地点を追加又は充電スタンドを追加するためのクライアントアプリケーションの画面表示の例を示す。この表示は、車の現在位置、充電量及び推定された範囲の指示を含む。トリップの計画には、次の表示画面のインタラクションを伴う。図１８は、トリップ計画の一部としての、ある場所又は住所を入力するためのクライアントアプリケーションの画面表示の例である。図１９は、図１８で入力されたデータに基づいて発見された位置のリストである。図１９において、現在位置及び充電量に基づいて、自動車が各位置に到達できるかを示すために、リスト化された位置は、望ましくは、色分けされ又はいくつかの他の表示が提供される。例えば、緑色は、自動車が対応する位置に到達できることを示すために使用される。黄色は、自動車が対応する位置に到達できる可能性が高いが、確実ではないことを示すために使用される。赤は、対応する位置が到達圏外であることを示す。地図ビューに切り換えるために、ボタンが設けられる。
【００２８】
図２０は、ユーザがスクリーンの対応する位置の表示部をタッチすることにより所望の位置又は経由地点を選択することを可能にする、図１９の画面表示に示された位置を示す地図表示である。望ましくは、位置は、図１９につき説明したように、地図上に色分けされる。ここで図２１を参照すると、ユーザが（リスト又は地図ビューから）ある位置を選択すると、選択された経由地点がリスト表示され、再び色分けされ、経由地点への距離を指示する。この処理が繰り返され、経路に加える追加の経由地点が特定及び選択される。準備ができると、ユーザは、下部の「Ｃａｌｃｕｌａｔｅ  Ｒｏｕｔｅ」ボタンを押して、推奨経路を取得できる。
【００２９】
〔充電スタンド〕
ここで図２２を参照すると、この画面表示において、充電スタンドの検索が実行できる。ユーザは、ＥＶの現在位置の近くを検索してもよく、又は、他の位置、所在地住所若しくは特定の充電スタンド名を入力できる。図２３は、例えばスクロールによって表示される図２２の画面表示の続きである。充電スタンド検索機能は、望ましい実施形態において、充電スタンドのブランド、充電器の能力（充電器の種類）、及び、ネットワークステーションのみ、フリーステーションのみ、パブリックステーションのみ等の他の基準を含む。いくつかの実施形態において、検索は、図１のサーバ１２とのインタラクションによって、１以上の充電スタンドネットワーク（図１の３０）と通信を行うことにより可能である。いくつかの例において、サーバ１２は、複数のブランド又は充電スタンドのネットワークにわたる集約機能を提供する。サーバ１２は、お気に入りを選択し、最良価格を発見し、又は、上述のものを含むがこれらに限られない他の基準を適用してもよい。
【００３０】
図２４は、検索により特定された充電スタンドのリストを示すクライアントアプリケーションの画面表示の例である。図２５は、図２４の表示に示される充電スタンドの位置している地図表示の例である。対応する距離は、充電スタンドごとにリストとして表示される。ブランド名、及び／又は他の表示、例えば、現在の価格又は特別な販売促進が含まれていてもよい。上述のように、色分けされてもよい。リストビュー又は地図ビューから、ユーザは、立ち寄る充電スタンドを選択してもよい。すると、選択された充電スタンドの詳細が、図２６の例に示すように表示される。詳細は、充電量、現在の状態（充電スタンドの使用可能性）、位置、時間、電話及びアクセスの詳細、位置の写真、ユーザの評価及びコメントを含んでいてもよい。
【００３１】
図２７は、経由地点の追加と同様に、トリップ計画に追加された選択された充電スタンドを示す。一実施形態において、ユーザは、経由地点を表示画面上で上下にスライドさせて（指によるスライド動作）、トリップを並べ替えることができ、経路が再計算される。図２８は、アンカーポイント又は経由地点として使用される自宅の住所をユーザが入力するように構成されたクライアントアプリケーションの画面表示の例である。図２９は、トリップ計画の経由地点としてのユーザの居住地を追加していることを示す。ユーザの自宅は、充電能力を有していてもよい。この場合、ユーザの自宅は、図１０につき上述した説明のように、エコ充電プロファイルにリストとして表示される。
【００３２】
図３０は、推奨されるトリップを計画することに関するクライアントアプリケーションの画面表示の例である。この表示は、「Ｃａｌｃｕｌａｔｅ  Ｒｏｕｔｅ」コマンドに基づく。この表示は、地図ビュー（図３２）に切り替えるオプションを提供する。この表示は、現在の充電量に基づいてリストに表示された目的地に到着する自動車の能力を示してもよい。この表示は、経路の編集及び／又は経路を自動車に送信することを可能にするボタンで、経路の詳細を表示してもよい。図３１は、推奨経路の詳細を示す図３０からの続きである。図３２は、リストビューに切り替えるボタンを有する、推奨経路を示す地図画面表示の例である。先に述べたように、望ましくは、位置又は経由地点の地図ビュー及び／又はリストビューには、色分けが含まれる。
【００３３】
ここで図３３を参照すると、移動計画とは無関係に充電スタンドを見つける検索インタフェースが示されている。充電スタンド検索機能は、図２２−２３に関する上述の記載により説明されている。図３４は、図３３の表示の続きであり、充電スタンド検索の更なる詳細を示す。図３５は、図３３及び３４に規定された検索に従って発見された充電スタンドのリストを示す画面表示の例である。図３６は、地図ビューにおける充電スタンド検索結果の表示である。
【００３４】
〔充電スタンドの予約〕
図３７は、上述のように、充電スタンドでの充電時間を予約するオプションで、選択された充電スタンドの詳細を示す画面表示の例である。図４７は、図３７において特定された、選択された充電スタンドに予約をするクライアントアプリケーションの画面表示の例である。予約のために、ユーザは、ユーザ名及びパスワードを使用して、予め設定されたアカウントにログインしてもよい。充電の予約のために、充電開始時間及び充電期間と共に、日付が選択される。図４８は、先の画面表示の続きである。クライアントアプリケーションは、充電セッションの価格を示してもよい。クライアントアプリケーションは、この情報を、充電ネットワークから、又は中央サーバを介して取得してもよい。クライアントアプリケーションは、リマインダを提供してもよい。現在の望ましい実施形態において、中央サーバは、例えばＡＰＩを使用して、充電スタンドネットワークとのインタラクションにより、充電予約機能を実行する。予約を行うために、アプリケーションの画面表示上の「Ｒｅｓｅｒｖｅ」ボタンが使用されうる。図４９は、充電スタンドの予約を確認する画面表示の例を示し、予約の詳細を示す。図５０は、ＥＶ充電スタンドの予約をキャンセルするための画面表示の例である。
【００３５】
〔ＥＶ用の通勤支援〕
図３８は、交通条件に基づく各通勤における移動時間と共に、次の通勤及び記憶済みの一連の通勤状況を示す、クライアントアプリケーションの画面表示の例である。次の通勤経路において、交通混雑又は交通渋滞がある場合、システムは、代替経路又は代替出発時間を推奨してもよい。交通及び経路情報は、サーバを介して提供されうる。
【００３６】
図５１は、移動時間及び代替経路に関する情報を含む、記憶済みの通勤に関するクライアントアプリケーションの画面表示の例である。代替経路は、システムにより作成されるものであり、時間節約オプションと共にドライバに提示されるものである。かかる代替経路は、エネルギー需要により評価され、ＥＶが充分なバッテリ残量を有する場合に限り提示される。
【００３７】
図５２は、図５１のボタンに応答して代替経路を示す地図表示の例であり、交通状態を示すボタンを有する。図５３は、例えば、色を使用した交通条件の表示を含む、図５２の地図の画面表示の例である。
【００３８】
図３９は、電気自動車の診断書を示すクライアントアプリケーションの画面表示の例である。図４０は、対象の自動車について、望ましくはトリップの履歴に基づくユーザの運転スタイルに関する情報を表示し、金銭的節約及びエネルギー消費を反映した情報を表示するクライアントアプリケーションの画面表示の例である。この種類の診断書は、上述の履歴データベースを使用して、サーバにより生成されうる。
【００３９】
図４１は、電気自動車の所定のグループ又は全車両の集約情報を示す画面表示の例である。図４２は、ユーザアカウント及び他の操作を管理するクライアントアプリケーションの画面表示の例である。
【００４０】
図４３−４５は、ユーザプロファイルの維持を可能にすることを示す例である。図４６は、モバイルアプリケーションアカウントのユーザパスワードを更新する画面表示の例である。
【００４１】
図５４は、電気自動車サービスのウェブページインタフェースの例である。図５４に示される様々な機能は、スマートフォンのユーザインタフェースに関して、上述の通り説明されている。
【００４２】
この分野における通常の知識を有する者にとって、本発明の基本的な原理から逸脱することなく、上述の実施形態の詳細に対して多くの変更を行いうることは明らかであろう。従って、本発明の範囲は、特許請求の範囲によって決定されるべきである。
【図１】
2015505369.tif 000003
【図２】
2015505369.tif 000004
【図３】
2015505369.tif 000005
【図４】
2015505369.tif 000006
【図５】
2015505369.tif 000007
【図６】
2015505369.tif 000008
【図７】
2015505369.tif 000009
【図８】
2015505369.tif 000010
【図９】
2015505369.tif 000011
【図１０】
2015505369.tif 000012
【図１１】
2015505369.tif 000013
【図１２】
2015505369.tif 000014
【図１３】
2015505369.tif 000015
【図１４】
2015505369.tif 000016
【図１５】
2015505369.tif 000017
【図１６】
2015505369.tif 000018
【図１７】
2015505369.tif 000019
【図１８】
2015505369.tif 000020
【図１９】
2015505369.tif 000021
【図２０】
2015505369.tif 000022
【図２１】
2015505369.tif 000023
【図２２】
2015505369.tif 000024
【図２３】
2015505369.tif 000025
【図２４】
2015505369.tif 000026
【図２５】
2015505369.tif 000027
【図２６】
2015505369.tif 000028
【図２７】
2015505369.tif 000029
【図２８】
2015505369.tif 000030
【図２９】
2015505369.tif 000031
【図３０】
2015505369.tif 000032
【図３１】
2015505369.tif 000033
【図３２】
2015505369.tif 000034
【図３３】
2015505369.tif 000035
【図３４】
2015505369.tif 000036
【図３５】
2015505369.tif 000037
【図３６】
2015505369.tif 000038
【図３７】
2015505369.tif 000039
【図３８】
2015505369.tif 000040
【図３９】
2015505369.tif 000041
【図４０】
2015505369.tif 000042
【図４１】
2015505369.tif 000043
【図４２】
2015505369.tif 000044
【図４３】
2015505369.tif 000045
【図４４】
2015505369.tif 000046
【図４５】
2015505369.tif 000047
【図４６】
2015505369.tif 000048
【図４７】
2015505369.tif 000049
【図４８】
2015505369.tif 000050
【図４９】
2015505369.tif 000051
【図５０】
2015505369.tif 000052
【図５１】
2015505369.tif 000053
【図５２】
2015505369.tif 000054
【図５３】
2015505369.tif 000055
【図５４】
2015505369.tif 000056
【国際調査報告】
2015505369.tif 000057